(57)【要約】【課題】本発明は安全的な薬瓶装置を開示した。【解決手段】医療ボックスであって、フレームの上に固定的に設置したケースを含み、前記フレームの四つの角底部に同時に歩く輪が設置され、前記ケースの中に前記容腔が設置され、前記容腔の底壁に左右に延びる前記横板を嵌合するように取り付けられ、前記容腔の頂壁に安設槽が設置され、前記安設槽の頂壁に外部と連結する転庫が設置され、前記転庫は軸受けを通して、前記回転円盤を取り付け、前記横板の上端面の中心に前記第一転棒が設置され、前記第一転棒の上端が前記容腔の頂壁に設置され、前記回転円盤と嵌合するように連結しており、前記第一転棒の中に前記安設腔を設置しており、前記安設腔の底壁の中に上に伸びる中穴があり、中穴の上端は前記回転円盤を貫き、外部と連結しており、中穴の中に前記第二転棒が回転可能に設けられる。【選択図】図2
2019126800.tif 000002
【特許請求の範囲】
【請求項１】
医療ボックスであって、フレームの上に固定的に設置したケースを含み、前記フレームの四つの角底部に同時に歩く輪が設置され、前記ケースの中に前記容腔が設置され、前記容腔の底壁に左右に延びる前記横板を嵌合するように取り付けられ、前記容腔の頂壁に安設槽が設置され、前記安設槽の頂壁に外部と連結する転庫が設置され、前記転庫は軸受けを通して、前記回転円盤を取り付け、前記横板の上端面の中心に前記第一転棒が設置され、前記第一転棒の上端が前記容腔の頂壁に設置され、前記回転円盤と嵌合するように連結しており、前記第一転棒の中に安設腔を設置しており、前記安設腔の底壁の中に上に伸びる中穴があり、中穴の上端は前記回転円盤を貫き、外部と連結しており、中穴の中に第二転棒が回転可能に設けられ、前記第二転棒の上端が前記円盤にある第一電機と接続しており、前記第二転棒の下端は前記安設腔の中に伸びて、且つ前記第一錐斜輪が嵌合するように設置され、前記第一転棒の左右両側に前記第一安設板が対応して設置され、前記第一安設板の背中は前記第一転棒の端面に対して、上下対応して前記第二安設板が固定的に設けられ、上下二つの前記第二安設板の間には前記第三安設板が嵌合するように設置され、前記第一滑推槽の口部が前記第一転棒の方向を向き、前記第三安設板の中に前記第一滑推槽が上下対応して設置され、前記第一安設板の中に前記第二滑推槽が上下対応して設けられ、前記第二滑推槽の口部は前記第一滑推槽に面し、前記第一滑推槽と前記第二滑推槽の間に前記滑推板が設けられ、前記滑推板の両端は別々に前記第一滑推槽と前記第二滑推槽の中に設置され、前記第一安設板と前記第三安設板の間に前記第四安設板が固定的に設置され、前記第四安設板が二つの前記滑推槽の間にあり、前記第四安設板の中には前記滑推腔が設置され、前記滑推腔の上下端壁に外部と貫通する前記通合槽が設置され、前記通合槽の中に前記滑推ブロックがあり、前記滑推ブロックの中に前記ネジ柱が配合して設けられ、前記ネジ柱の背中が前記第一転棒の一端に対して前記第四安設板を貫き、前記第三安設板の中に回転可能に設置され、前記ネジ柱が前記第一転棒の一端に隣接して前記第一安設板と前記第一転棒を貫き、前記安設腔の中に伸びて、前記安設腔の中に前記第二錐斜輪が設置され、前記第二錐斜輪は前記ネジ柱に固定的に接続されて前記第一錐斜輪と配合して連結しており、前記滑推ブロックの上下両端面は枢転軸を通じて、前記接合棒が回転可能に取り付けられ、前記接合棒の背中は前記滑推ブロックの一端に対して、枢転軸を通じて前記滑推板と回転可能に連結しており、前記安設腔の中に前記第一転棒に固定的に接続する前記第二転輪が設置され、かつ前記第三転棒も設置され、前記第三転棒の下端が前記安設腔の底壁に回転可能に設置され、上端は前記ケースの底壁に嵌合するように取り付けられる第二電機と連結して、前記安設腔の中に前記第三転棒に嵌合するように取り付ける前記第一転輪が設けられ、前記第一転輪と前記第二転輪の上にベルトが動力が伝達可能に取り付けられ、前記容腔の底壁に外部に貫通する排出槽が設置され、前記排出槽の中に開閉弁が設けられ、前記容腔の底壁には前記排出槽に向かって傾斜する傾斜面が設けられ、前記容腔の頂壁の中に外部に貫通する導入槽が設置され、前記ケースの上端面に前記導入槽と貫通する立斗が固定的に設置され、前記第一滑推槽と前記第二滑推槽の中に弾柱があり、前記弾柱は第四安設板の方に対する前記滑推板の端面に相殺し、前記ケースの上端面には前記円盤の外側に位置する保護盖が嵌合するように設置されることを特徴とする医療ボックス。
【発明の詳細な説明】
【技術分野】
【０００１】
本発明は、医療技術分野に関し、具体的には、医療ボックス装置に関する。
【背景技術】
【０００２】
医療実験で、常に医療ボックスを使って、様々な医療試薬を混ぜてかき回す。しかし伝統の医療ボックスでは混ぜる効率が低く、効果も悪い。
【先行技術文献】
【特許文献】
【０００３】
【特許文献１】中国特許出願公開第106390160号明細書
【発明の概要】
【発明が解決しようとする課題】
【０００４】
上記の技術の不足に対して、本発明は医療ボックス装置を提供する。
【０００５】
本発明装置の医療ボックスはフレームの上に固定的に設置したケースを含み、前記フレームの四つの角底部に同時に前記歩く輪が設置されて、前記ケースの中に前記容腔が設置されて、前記容腔の底壁に左右に延びる前記横板を嵌合するように取り付ける。前記容腔の頂壁に前記安設槽が設置されて、前記安設槽の頂壁に外部と連結する転庫が設置される。前記転庫は軸受けを通して、前記回転円盤を取り付ける。前記横板の上端面の中心に前記第一転棒が設置され 、前記第一転棒の上端が前記容腔の頂壁に設置して、前記回転円盤と嵌合するように連結している。前記第一転棒の中に前記安設腔を設置している。前記安設腔の底壁の中に上に伸びる中穴がある。中穴の上端は前記回転円盤を貫いて、外部と連結している。中穴の中に前記第二転棒が回転可能に設けられ、前記第二転棒の上端が前記円盤にある前記第一電機と接続している。前記第二転棒の下端は前記安設腔の中に伸びて、且つ前記第一錐斜輪が嵌合するように設置され、前記第一転棒の左右両側に前記第一安設板が対応して設置され、前記第一安設板の背中は前記第一転棒の端面に対して、上下対応して前記第二安設板が固定的に設けられる。上下二つの前記第二安設板の間には前記第三安設板が嵌合するように設置され、前記第一滑推槽の口部が前記第一転棒の方向に向いて、前記第三安設板の中に前記第一滑推槽が上下対応して設置される。前記第一安設板の中に前記第二滑推槽が上下対応して設けられ、前記第二滑推槽の口部は前記第一滑推槽に面する。前記第一滑推槽と前記第二滑推槽の間に前記滑推板が設けられ、前記滑推板の両端は別々に前記第一滑推槽と前記第二滑推槽の中に設置される。前記第一安設板と前記第三安設板の間に前記第四安設板が固定的に設置され、前記第四安設板が二つの前記滑推槽の間にある。前記第四安設板の中には前記滑推腔が設置され、前記滑推腔の上下端壁に外部と貫通する前記通合槽が設置され、前記通合槽の中に前記滑推ブロックがあり、前記滑推ブロックの中に前記ネジ柱が配合して設けられる。前記ネジ柱の背中が前記第一転棒の一端に対して、前記第四安設板を貫いて、前記第三安設板の中に回転可能に設置される。前記ネジ柱が前記第一転棒の一端に隣接して、前記第一安設板と前記第一転棒を貫いて、前記安設腔の中に伸びて、前記安設腔の中に前記第二錐斜輪が設置され、前記第二錐斜輪は前記ネジ柱に固定的に接続されて前記第一錐斜輪と配合して連結している。前記滑推ブロックの上下両端面は枢転軸を通じて、前記接合棒が回転可能に取り付けられる。前記接合棒の背中は前記滑推ブロックの一端に対して、枢転軸を通じて前記滑推板と回転可能に連結している。前記安設腔の中に前記第一転棒に固定的に接続する前記第二転輪が設置され、また、前記第三転棒も設置される。前記第三転棒の下端が前記安設腔の底壁に回転可能に設置され、上端は前記ケースの底壁に嵌合するように取り付ける第二電機と連結して、前記安設腔の中に前記第三転棒に嵌合するように取り付ける前記第一転輪が設けられ、前記第一転輪と前記第二転輪の上に前記ベルトが動力が伝達可能に取り付けている。
【０００６】
更の技術方案として前記容腔の底壁に外部に貫通する前記排出槽が設置され、前記排出槽の中に前記開閉弁が設けられ、前記容腔の底壁にはまた前記排出槽に向かって傾斜する前記傾斜面が設けられている。
【０００７】
更の技術方案として、前記容腔の頂壁の中に外部に貫通する前記導入槽が設置され、前記ケースの上端面に前記導入槽と貫通する立斗が固定的に設置されている。
【０００８】
更の技術方案として前記第一滑推槽と前記第二滑推槽の中に弾柱があり、前記弾柱は第四安設板の方に対する前記滑推板の端面に相殺する。
【０００９】
更の技術方案として前記ケースの上端面には前記円盤の外側に位置する保護盖が嵌合するように設置される。
【００１０】
【発明の効果】
【００１１】
本発明の装置構造が簡単で、使用が便利で、医薬品試薬の撹拌効率と均等性を高めることができる。
【図面の簡単な説明】
【００１２】
【図１】図１は本発明の医療ボックス装置の構造見取り図である。
【図２】図２は図1の見上げ図である。
【発明を実施するための形態】
【００１３】
図１−図２のように、本発明に係る医療ボックスは、フレーム10の上に固定的に設置したケース11を含む。前記フレーム10の四つの角底部に同時に前記歩く輪101が設置されて、前記ケース11の中に前記容腔110が設置される。前記容腔110の底壁に左右延びる前記横板43を嵌合するように取り付ける。前記容腔110の頂壁に前記安設槽18が設置されて、前記安設槽18の頂壁に外 部と連結する転庫が設置される。前記転庫は軸受けを通して、前記回転円盤20を取り付ける。前記横板43の上端面の中心に前記第一転棒28が設置され 、前記第一転棒28の上端が前記容腔10の頂壁に設置して、前記回転円盤20と嵌合するように連結している。前記第一転棒28の中に前記安設腔42を設置している。前記安設腔42の底壁の中に上に伸びる中穴がある。中穴の上端は前記回転円盤20を貫いて、外部と連結している。中穴の中に前記第二転棒22が回転可能に設けられ、前記第二転棒22の上端が前記円盤20にある前記第一電機21と接続している。前記第二転棒22の下端は前記安設腔42の中に伸びて、且つ前記第一錐斜輪15が嵌合するように設置され、前記第一転棒28の左右両側に前記第一安設板29が対応して設置され、前記第一安設板29の背中は前記第一転棒28の端面に対して、上下対応して前記第二安設板30が固定的に設けられる。上下二つの前記第二安設板30の間には前記第三安設板31が嵌合するように設置され、前記第一滑推槽34の口部が前記第一転棒28の方向に向いて、前記第三安設板31の中に前記第一滑推槽34が上下対応して設置される。前記第一安設板29の中に前記第二滑推槽340が上下対応して設けられ、前記第二滑推槽340の口部は前記第一滑推槽34に面する。前記第一滑推槽34と前記第二滑推槽340の間に前記滑推板32が設けられ、前記滑推板32の両端は別々に前記第一滑推槽34と前記第二滑推槽340の中に設置される。前記第一安設板29と前記第三安設板31の間に前記第四安設板360が固定的に設置られ、前記第四安設板360が二つの前記滑推槽32の間にある。前記第四安設板360の中には前記滑推腔36が設置され、前記滑推腔36の上下端壁に外部と貫通する前記通合槽39が設置され、前記通合槽39の中に前記滑推ブロック40があり、前記滑推ブロック40の中に前記ネジ柱38が配合して設けられる。前記ネジ柱38の背中が前記第一転棒28の一端に対して、前記第四安設板360を貫いて、前記第三安設板31の中に回転可能に設置される。前記ネジ柱38が前記第一転棒28の一端に隣接して、前記第一安設板29と前記第一転棒28を貫いて、前記安設腔42の中に伸びて、前記安設腔42の中に前記第二錐斜輪41が設置され、前記第二錐斜輪41は前記ネジ柱38に固定的に接続されて前記第一錐斜輪15と配合して連結している。前記滑推ブロック40の上下両端面は枢転軸を通じて、前記接合棒35が回転可能に取り付けられる。前記接合棒35の背中は前記滑推ブロック40の一端に対して、枢転軸を通じて前記滑推板32と回転可能に連結している。前記安設腔18の中に前記第一転棒28に固定的に接続する前記第二転輪19が設置され、また、前記第三転棒26も設置される。前記第三転棒26の下端が前記安設腔18の底壁に回転可能に設置され、上端は前記ケース11の底壁に嵌合するように取り付ける前記第二電機25と連結して、前記安設腔18の中に前記第三転棒26に嵌合するように取り付ける前記第一転輪27が設けられ、前記第一転輪27と���記第二転輪19の上に前記ベルト24が動力が伝達可能に取り付けている。
【００１４】
好ましくは、前記容腔110の底壁に外部に貫通する前記排出槽12が設置され、前記排出槽12の中に前記開閉弁13が設けられ、前記開閉弁13は前記排出槽12の開放と閉鎖を制御することができる。前記容腔110の底壁にはまた前記排出槽12に向かって傾斜する前記傾斜面14が設けられている。
【００１５】
好ましくは、前記容腔110の頂壁の中に外部に貫通する前記導入槽16が設置され、前記ケース11の上端面に前記導入槽16と貫通する前記立斗17が固定的に設置されている。
【００１６】
好ましくは、前記第一滑推槽34と前記第二滑推槽340の中に前記弾柱33があり、前記弾柱33は第四安設板の方に対する前記滑推板32の端面に相殺する。前記弾柱33は前記滑推板32の背中を前記第四安設板360の方向で押さえている。
【００１７】
好ましくは、前記ケース11の上端面には前記円盤20の外側に位置する前記保護盖23が嵌合するように設置されて、ひいては前記第一電機21が回転する時外部との連結を防止する。
【００１８】
本発明の有益な効果は、本発明の装置構造が簡単で、使用が便利で、医薬品試薬の撹拌効率と均等性を高めることができる点にある。
【図１】
2019126800.tif 000003
【図２】
2019126800.tif 000004